(57)【要約】      （修正有）【課題】圧力に敏感な医療装置用使い捨てキットの各部品を保護するパッケージングシステムを提供する。【解決手段】医療装置用使い捨てキットは、トレイ１１と、折り畳んで相互に連結可能な複数のセクション２１，２３を備える組立体とを備えている。セクションの少なくとも一つは、組立体がトレイの一領域を取り囲むようにして、折り曲げてトレイ上に配置可能である。トレイが所定の位置において組立体上にあるときに、トレイの前側に形成され、かつ、組立体に対抗している凸状溝１３領域は組立体の部品を収容することができるようになっており、複数のセクションのうちの一つのセクションは、トレイの後側に対して折り曲げ可能であり、そのセクション上にある部品をトレイの後側に形成された凸状溝領域の内部に収容可能であるようになっている。【選択図】図１１
2017205491.tif 000002
【特許請求の範囲】
【請求項１】
医療装置用の使い捨てキットであって、
ほぼトレイ（１１）の形状をなしている第一組立体（１０）と、
折り畳んで相互に連結可能な複数のセクション（２１−２３）からなる第二組立体（２０）と、
からなり、
前記複数のセクション（２１−２３）の少なくとも一つは前記トレイ（１１）にヒンジを介して取り付けられることにより、前記トレイ（１１）の少なくとも一部の領域を取り囲んでおり、前記領域は前記ヒンジが取り付けられている前記セクションの長さに対応するものである医療装置用使い捨てキット。
【請求項２】
前記複数のセクション（２１−２３）には少なくとも左セクション（２１）、中央セクション（２２）及び右セクション（２３）が含まれており、
前記左セクション（２１）及び前記右セクション（２３）の各々が前記中央セクション（２２）に対して回動可能であるように、前記左セクション（２１）及び前記中央セクション（２２）は第一ヒンジ（２４ａ）を介して折り畳んだ状態で連結され、かつ、前記中央セクション（２２）及び前記右セクション（２３）は第二ヒンジ（２４ｂ）を介して折り畳んだ状態で連結されていることを特徴とする請求項１に記載の医療装置用使い捨てキット。
【請求項３】
前記トレイ（１１）はほぼ平坦な板として構成されており、前記板には凸部（１２）が形成されており、前記凸部（１２）は、予め定められた高さを有し、かつ、前記トレイ（１１）の第一側部において第一凸状領域及び前記トレイ（１１）の第二側部において第二凸状領域を形成しており、前記第一及び第二凸状領域は当該第一及び第二凸状領域の内部に溝（１３）を形成する凹部（１４）を有するものとして形成されていることを特徴とする請求項１または２に記載の医療装置用使い捨てキット。
【請求項４】
前記第二組立体（２０）の前記左セクション（２１）は第一チューブセクション（２５ａ，２５ｂ）の端部を保持する第一マウントを有しており、前記第一チューブセクション（２５ａ，２５ｂ）の屈曲領域は前記左セクション（２１）の外縁を越えて延びるとともに前記トレイ（１１）の前記第一及び第二凸状領域の一方に形成された前記溝（１３）に対応する形状を有しており、
前記第二組立体（２０）の前記右セクション（２３）は第二チューブセクション（２５ｃ−２５ｆ）の端部を保持する第二マウントを有しており、前記第二チューブセクション（２５ｃ−２５ｆ）の屈曲領域は前記右セクション（２３）の外縁を越えて延びるとともに前記トレイ（１１）の前記第一及び第二凸状領域の他方に形成された前記溝（１３）に対応する形状を有していることを特徴とする請求項３に記載の医療装置用使い捨てキット。
【請求項５】
前記トレイ（１１）は、前記第一及び第二チューブセクション（２５ａ−２５ｆ）の一方の前記屈曲領域が当該屈曲領域と対向する前記トレイ（１１）内の前記溝（１３）とほぼ合う位置において前記第二組立体（２０）上に配置され、さらに、前記トレイ（１１）内の前記溝（１３）と合っている前記屈曲領域が前記溝（１３）内に収容されるように前記第二組立体（２０）に接近するように配置されていることを特徴とする請求項４に記載の医療装置用使い捨てキット。
【請求項６】
前記トレイ（１１）が前記第二組立体（２０）上に配置され、前記屈曲領域が前記溝（１３）内に収容されているときに、前記第一及び第二チューブセクション（２５ａ−２５ｃ）の前記他方を有する前記複数のセクション（２１、２３）の前記一つは前記屈曲領域を収容する前記溝（１３）から遠い方の前記トレイ（１１）の端部の回りにヒンジ（２４ａ，２４ｂ）を介して取り付けられていることを特徴とする請求項５に記載の医療装置用使い捨てキット。
【請求項７】
前記トレイ（１１）は収容構造体（１９）を備えており、前記第二組立体（２０）は前記収容構造体（１９）の内部に収容される支持凸部（２９）を備えており、
前記複数のセクション（２１、２３）の前記一つは、前記支持凸部（２９）が前記収容構造体（１９）内に収容され、同時に、前記第一及び第二チューブセクション（２５ａ−２５ｆ）の前記他方の前記屈曲領域が当該屈曲領域と対抗する前記トレイ（１１）の前記溝（１３）とほぼ位置が合っており、かつ、前記溝（１３）の内部に収容されていることを特徴とする請求項４に記載の医療装置用使い捨てキット。
【請求項８】
少なくとも一つのカバーセクション（１６、１８）が少なくとも一つの前記凸状領域内において前記トレイ（１１）に搭載され、前記溝（１３）の内部に収容されている前記第一及び第二チューブセクション（２５ａ−２５ｅ）の屈曲領域を覆っていることを特徴とする請求項５乃至７の何れか一項に記載の医療装置用使い捨てキット。
【請求項９】
前記複数のセクション（２１−２３）の少なくとも一つが少なくとも一つのフィルター（２６）に搭載されていることを特徴とする請求項１乃至８の何れか一項に記載の医療装置用使い捨てキット。
【請求項１０】
前記トレイ（１１）及び／または前記第二組立体（２０）は、前記複数のセクション（２１−２３）の前記少なくとも一つがヒンジ止めされている状態において、前記トレイ（１１）と前記第二組立体（２０）との間に距離を確保し、かつ、インストール可能な使い捨て用品の収容のための保存空間を形成するスペーサーを備えていることを特徴とする請求項１乃至９の何れか一項に記載の医療装置用使い捨てキット。
【発明の詳細な説明】
【技術分野】
【０００１】
本発明は、医療装置用に予め組み立てられた使い捨てキットまたはパッケージに関し、より詳細には、少なくとも一つの血液ライン、及び／または、使い捨てキットを通過する液体を濾過する少なくとも一つのフィルターが当該医療装置に搭載可能なホルダーに固定されている、予め組み立てられた使い捨てキットに関する。
【背景技術】
【０００２】
これまで知られている使い捨てパッケージ装置は、医療用機器とともに使用される医療器具を収容するための壁部を有していた。
医療器具には搭載手段が設けられており、医療用機器には医療器具の搭載手段と係合する搭載手段が設けられている。
使い捨てパッケージ装置の壁部には通路開口部が形成されており、この通路開口部は、医療器具の搭載手段が医療用機器の搭載手段に係合し得るような形状に形成されていた。
公知の他の器具としては、医療装置に対して取り外し可能に取り付けられるマウントがある。
このマウントには医療器具を収容可能な中空空間が形成されている。マウントは第一及び第二の側部を有しており、この第一及び第二の側部は、搭載前に押圧され、医療装置の搭載区間に挿入された後に拡張するように、弾性変形可能である。
【０００３】
上述の予め組み立てられた器具は、実際に使用されるまでに、その器具の保存及び輸送の間に、各種チューブ（血液ライン、フィルター及び各部品）を保護するように配列・出荷される。
このように、現在では、製品の保護は、特殊な箱、パウチまたは個別生産された熱形成ブリスターによって、なされている。
複雑なキットをパッケージングするときの大きな問題はチューブ類のねじれ(kinking)、特に、ポンプのチューブ類のねじれと、圧力マーク（各製品が一緒に押圧されたときに生じる痕跡）である。
現在使用されているパッケージングシステムは、パッケージングされた製品を十分に防護することができない。それは、現在のパッケージングシステムは、製品の外側のみを防護するものとして設計されており、製品の重要部分はパッケージングされた物の内部にも存在しているということを考慮していないからである。
【発明の概要】
【発明が解決しようとする課題】
【０００４】
上記の問題点に照らして、本発明の目的は、医療装置用使い捨てキットのパッケージングシステムであって、製品の内部領域までも防護するように形成されているパッケージングシステムを提供することにあり、特に、チューブ類のねじれ、特に、ポンプのチューブ類のねじれと圧力マークの発生を防止するように形成されているパッケージングシステムを提供することにある。
さらに、本発明は、製品が使い捨てキットによって取り囲まれるようにするトレイを提供する。使い捨てキットは、その製品の全使用期間中において、ラインやフィルターなどの内部部品を防護するようにパッケージングされている。
さらに、本発明によれば、医療用装置上におけるキットの取り付けが促進・加速される。
【課題を解決するための手段】
【０００５】
本発明によれば、上記の目的は、請求項１に記載される医療装置用使い捨てキットにより達成される。
本発明の効果的な発展形は従属項により達成される。
本発明の要旨は、好ましくはトレイの形状をなしているパッケージング構造体（これに外部のパウチが加わる）を製作及び提供することにある。このトレイは製品の隠れた領域、あるいは、内部の領域をも防護可能であり、このトレイ構造体は、使い捨てキットが当該トレイを包み込むことが可能であるようになっている。
トレイのパッケージング構造体は、例えば、ホース、フィルター、バッグ、アダプター、ユニットとして販売されているバルブなどの外科、内科、歯科及び獣医用の装置に使用される使い捨てキットに対応または適合するようにカスタマイズし、人の全血液、特に、点滴溶液や血液などの体液を処理するために使用することができる。
【０００６】
より詳細には、ポンプの対象物（血液、流体、クエン酸塩など）や滴用のチャンバーのための専用のハウジングを備えた特別なトレイが提供される。
このハウジングは、使い捨てキットを収容していないときには取り外し可能なカバーを介して、チューブや各部品を所定の位置に保持するように構成されている。
このトレイは単なる収容器ではなく、外部キットの進行通路の形状に合うように形成されており、最大級の防護をもたらしている。
さらに、このトレイは、その両側部から使用可能または搭載可能であるように構成されている。
上述の構成において、使い捨てキットまたはトレイの第一部位には、当該使い捨てキットまたはトレイの第二部位の回りに折りたたみ可能なヒンジ部分が形成されており、双方がパッケージされている間において、双方が全体として折り畳まれ、双方の間に配置された使い捨て用品を取り囲むようになっている。
【０００７】
本明細書においては、「使い捨てキット」の語はキット及びトレイ構造体の全体を指すものとして使用されているが、状況に応じて、各種使い捨て用品をも含み、「キット」の語は単独では第一部位を指すことがあり、「トレイ」の語は単独では第二部位を指すことがあり、このため、換言すれば、本パッケージング構造体においては、トレイは少なくとも部分的にキットに取り囲まれ、次いで、バッグに入れられる。すなわち、このパッケージングは、既にパッケージングされている使い捨てキットの使い捨て用品に適合するように、さらに、パッケージングが解かれるまで、あるいは、使用されるまで、その使い捨て用品を防護するようにカスタマイズされる。
キット及びトレイのパッケージングが解除されるとき、キットのヒンジ部分は使い捨て用品へのアクセスが可能であるように折り曲げられてはおらず、使い捨て用品はキットおよびトレイ構造体の内部に所定の方法で所定の位置に収容され、キット構造体が医療用装置に搭載し、実際に使用されるときには、使い捨てキットのヒンジ部分は再び折り曲げられ、使い捨て用品を所定の位置において保持・保護する。
【０００８】
材料及び製造方法に関して、医療上のパッケージングの安全性において、耐温度性、安全性及び追跡可能性は通常は重要項目であるので、例えば、熱形成された、及び／または、プラスチック製のパッケージングをカスタムメイドすることが可能であり、さらに、それに対応する条件に適合させるように使用することも可能である。
熱形成用の材料としては、単独または組み合わせて使用するものとして、ＰＰ（ポリプロピレン）、ＰＶＣ（ポリ塩化ビニル）、ＰＥＴ（ポリエチレンテレフタレート）、ＰＥＴＧ（変形ＰＥＴ）、ポリウレタン、ＨＩＰＳ（高衝撃型ポリスチレン）、ＯＰＳ（指向性のあるポリスチレン）、ＨＤＰＥ（高密度ポリエチレン）などがあるが、これらに限定されるものではない。
【０００９】
本発明の効果として、本使い捨てキットまたはキット及びトレイ構造体は短時間で、かつ、容易にパッケージングを解くことが可能であり、さらに、ポンプの内部状況や滴用のチャンバーの防護などに寄与する、信頼性があり、かつ、安全な、ねじれに対するシステムが提供される。
より詳細には、本発明の一態様として、医療装置用の使い捨てキットであって、ほぼトレイの形状をなしている第一組立体と、折り畳んで相互に連結可能な複数のセクションからなる第二組立体と、からなり、前記複数のセクションの少なくとも一つは前記トレイにヒンジを介して取り付けられることにより、前記トレイの少なくとも一部の領域を取り囲んでおり、前記領域は前記ヒンジが取り付けられている前記セクションの長さに対応するものである医療装置用使い捨てキットが提供される。
トレイは、キットの一部として、第二組立体に取り囲まれており、トレイは、この状態において、バッグの中にパッケージングされ、次いで、箱のような第二のパッケージの内部に複数回にわたってパッケージングされることも可能である。
配送後には、本使い捨てキットは短時間にパッケージングを解き、さらに、短時間で医療用機器または装置に搭載することが可能である。
【００１０】
前記複数のセクションには少なくとも左セクション、中央セクション及び右セクションが含まれており、前記左セクション及び前記右セクションの各々が前記中央セクションに対して回動可能であるように、前記左セクション及び前記中央セクションは第一ヒンジを介して折り畳んだ状態で連結され、かつ、前記中央セクション及び前記右セクションは第二ヒンジを介して折り畳んだ状態で連結されていることが好ましい。
十分な可撓性を保証しつつ、各部品の数を管理可能であるという点において、少なくとも３個のセクションまたはウィングに対して仕切り部材を設けることが効果的である。
これら３個の部材のうちの２個がトレイと同様の長さである場合には、第三の部材は、第二組立体に対してトレイが置かれているどちらの側からもトレイの回りに折り曲げることが可能である。
前記トレイはほぼ平坦な板として構成されており、前記板には凸部が形成されており、前記凸部は、予め定められた高さを有し、かつ、前記トレイの第一側部において第一凸状領域及び前記トレイの第二側部において第二凸状領域を形成しており、前記第一及び第二凸状領域は当該第一及び第二凸状領域の内部に溝を形成する凹部を有するものとして形成されていることが好ましい。
このように、トレイの３次元的構造が提供される。このトレイの３次元的構造はチューブセクションの必要な長さに対応させることができ、さらに、チューブセクションをチャネル内に配置することを可能にし、それ自体に作用する圧力からの防護機能をも奏する。
【００１１】
前記第二組立体の前記左セクションは第一チューブセクションの端部を保持する第一マウントを有しており、前記第一チューブセクションの屈曲領域は前記左セクションの外縁を越えて延びるとともに前記トレイの前記第一及び第二凸状領域の一方に形成された前記溝に対応する形状及び/または長さを有しており、前記第二組立体の前記右セクションは第二チューブセクションの端部を保持する第二マウントを有しており、前記第二チューブセクションの屈曲領域は前記右セクションの外縁を越えて延びるとともに前記トレイの前記第一及び第二凸状領域の他方に形成された前記溝に対応する形状及び/または長さを有していることが好ましい。
チューブセクションはトレイの溝の内部に収容され、保護されるようになっているので、チューブセクションを第二組立体上に効果的に事前構成及び事前インストールすることができる。
このようにして、使い捨てキットのパッケージングは、より失敗しにくくなるとともに、取り外しも容易になっている。
また、使い捨てキットの取り外し後の設定時間や動作時間も短縮される。
前記トレイは、前記第一及び第二チューブセクションの一方の前記屈曲領域が当該屈曲領域と対向する前記トレイ内の前記溝とほぼ合う位置において前記第二組立体上に配置され、さらに、前記トレイ内の前記溝と合っている前記屈曲領域が前記溝内に収容されるように前記第二組立体に接近するように配置されていることが好ましい。
溝は予めトレイに形成されており、さらに、屈曲領域はこの溝に適合するように寸法が決められて形成されているので、トレイの溝を屈曲領域に合わせ、次いで、屈曲領域を溝内に挿入することにより、トレイと第二組立体とを極めて容易に結合させることができる。
【００１２】
前記トレイが前記第二組立体上に配置され、前記屈曲領域が前記溝内に収容されているときに、前記第一及び第二チューブセクションの前記他方を有する前記複数のセクションの前記一つは前記屈曲領域を収容する前記溝から遠い方の前記トレイの端部の回りにヒンジを介して取り付けられていることが好ましい。
折り畳み可能な一セクションにあるチューブ屈曲領域が対応する溝の内部に収容されている場合、遠方の折り畳み可能なセクション（第二組立体の他端）にあるチューブ屈曲領域は折り畳み可能なセクションの外側に露出している。
トレイは３個のセクションのうちの２個とほぼ同様の長さを有しているため、トレイはヒンジの十分手前で終わり、露出したチューブセクションを有する折り畳み可能なセクションはトレイの後ろ側に向かってトレイの縁部の回りにヒンジ止めされる。
【００１３】
前記トレイは収容構造体を備えており、前記第二組立体は前記収容構造体の内部に収容される支持凸部を備えており、前記複数のセクションの前記一つは、前記支持凸部が前記収容構造体内に収容され、同時に、前記第一及び第二チューブセクションの前記他方の前記屈曲領域が当該屈曲領域と対抗する前記トレイの前記溝とほぼ位置が合っており、かつ、前記溝の内部に収容されるようにヒンジを介して取り付けられることが好ましい。
収容構造体及び支持凸部は協働してスペーサーを提供する。このスペーサーは所定の位置においてトレイに当接し、さらに、同時に、前記セクションが後方に回動したときにヒンジの回動角度を制限する。
これにより、ヒンジの回動角度は、回動するセクションの露出したチューブセクションがトレイの後方において溝の内部に安全に収容される角度に制限される。
収容構造体及び支持凸部はスナップイン構造として構成され、折り畳み可能なセクションの支持凸部が所定の端部位置においてトレイの収容構造体の内部にスナップ留めされ、折り畳まれたセクションの折り畳みが意図せずに戻らないように防止する。
少なくとも一つのカバーセクションが少なくとも一つの前記凸状領域内において前記トレイに搭載され、前記溝の内部に収容されている前記第一及び第二チューブセクションの屈曲領域を覆っていることが好ましい。
溝は、チューブセクションがその内部に収容されることを可能にするため、開放されている。このため、チューブセクションを配置した後にチューブセクションを覆うことにより、さらに防護が厚くなるとともに、チューブセクションを所定の位置に安全に保持することができる。
【００１４】
前記複数のセクションの少なくとも一つが少なくとも一つのフィルターに搭載されていることが好ましい。
チューブに対して、一つまたは複数のフィルター（あるいは、必要に応じて、他の要素）を事前インストール及び/または事前連結させることができる。これにより、使い捨てキットの設定を促進できるとともに、例えば、チューブ類の連結時における設定エラーを防止することもできる。
フィルター及び/または他の要素を事前搭載することにより、適切な器具の配置も可能になり、さらに、使い捨てキットの準備・設定中に間違って別の部品を選択してしまうことを防止することもできる。
前記トレイ及び／または前記第二組立体は、前記複数のセクションの少なくとも一つがヒンジ止めされている状態において、前記トレイと前記第二組立体との間に距離を確保し、かつ、インストール可能な使い捨て用品の収容のための保存空間を形成するスペーサーを備えていることを特徴とが好ましい。
トレイがほぼ平坦に形成されているのに対して、折り畳み可能なセクションが凸状に形成されている場合には、トレイの表面と折り畳み可能なセクションの表面との間に凹部を形成し、追加の、または、必要に応じて使用するシール、コネクタ、チューブ、容器などの使い捨て用品を収容または移送するようにすることができる。これらの使い捨て用品は、少なくとも第二組立体の硬質シェル構造によって、それ自体に作用する望ましくない圧力から防護されている。
【００１５】
本明細書に記載されている医療装置用使い捨てキットを構成する各種器具、構造体、形状及び/または各部品は種々の変形例をなすことが可能であり、これらには、多少を問わず、適切な位置に配置され、さらに、第二のパッケージから当該キットを取り出す際に結合される、事前インストールされた構造体及び/または別個の部品も含まれる。この第二のパッケージには少なくとも一つのキット、好ましくは、複数のキットが含まれている。例えば、４個のプラスチックバッグの各々にキットが別個に収容される。
以下、好適な実施形態を用いて、さらに、図面を参照して、本発明を詳細に説明する。
図面においては、各構成要素は図式化及び単純化されている。
【図面の簡単な説明】
【００１６】
【図１】図１は、本発明の好適な実施形態に係る医療装置用使い捨てキットにおける第一組立体すなわち第一部品集合体の斜視図であり、第一の側の方向から見たものである。
【図２】図２は、第一側部とは反対側の第二の側から見た場合の第一組立体の斜視図である。
【図３】図３は、本発明の好適な実施形態に係る医療装置用使い捨てキットにおける第二組立体すなわち第二部品集合体の平面図であり、第一の側の方向から見たものである。
【図４】図４は、第一側部とは反対側の第二の側から見た場合の第二組立体の平面図である。
【図５】図５は、分離した状態にあり、かつ、搭載位置において相互に整列されている第一組立体及び第二組立体の上面図である。
【図６】図６は、分離した状態にあり、かつ、搭載位置において相互に整列されている第一組立体及び第二組立体の斜視図である。
【図７】図７は、搭載位置において、一方が他方の上に位置しており、及び/または、相互に結合されている第一組立体及び第二組立体の上面図である。
【図８】図８は、搭載位置において、一方が他方の上に位置しており、及び/または、相互に結合されている第一組立体及び第二組立体の平面図である。
【図９】図９は、第一組立体の端部に第一カバーが取り付けられている状態における第一組立体及び第二組立体の斜視図である。
【図１０】図１０は、第二組立体のヒンジ部分が第一組立体の第二端部の方向に、かつ、第二端部の回りに折り曲げられている状態における第一組立体及び第二組立体の上面図である。
【図１１】図１１は、第二カバーが第一組立体の中央セクションに取り付けられている状態において、最終搭載及び/またはパッケージング状態にある第一組立体及び第二組立体の斜視図である。
【発明を実施するための形態】
【００１７】
図面に図示されている同一または類似の要素は同一の参照符号で示されており、それらの詳細は冗長を避けるため説明しない。
また、第一及び第二組立体の視認性を高めるため、図面においては、チューブ及び他の要素は省略され、または、隠れているものとする。
図１は、本発明の好適な実施形態に係る医療装置用使い捨てキットの第一組立体または第一構成要素群１０の斜視図である。具体的には、第一の側すなわち上方から見た図である。
図２は、第一組立体１０を第一の側とは反対側である第二の側、すなわち、下方から見た場合（第一組立体１０を上下逆にした場合）の斜視図である。
以後、第一組立体１０を使い捨てキットのトレイと呼ぶ。
換言すれば、図１及び図２はトレイの全体図である。
【００１８】
具体的には、第一組立体１０は、好ましくは矩形であり、かつ、ほぼ平坦なトレイ１１からなり、トレイ１１には、使い捨てキットの使用準備を行い、医療用装置に搭載するときに、使い捨てキットの所定の使用に必要なチューブ、液体ライン、フィルターなどの使い捨て用品をガイドするものとして複数の凸部１２及び/または凹部１４が形成されている。
全体として使い捨てキットを構成しているキット及び/またはトレイ構造体の第一部品としてのトレイ１１の外観は、その形状が後述するキット部品としての第二組立体と適切に相互作動できることが可能である限りにおいて、基本的な矩形形状以外の形状とすることも可能である。
【００１９】
図１及び図２に示すように、所定の数のカバー、すなわち、第一カバー１６と第二カバー１８とが所定の位置、すなわち、それぞれトレイ１１の第一位置及び第二位置において、トレイ１１の凸部１２及び/または凹部１４により形成された溝１３を少なくとも部分的に覆うために設けられている。
例えば、第一位置はトレイの端部の位置であり、第二位置はトレイ１１の中央部分の位置であるとすることができるが、これらの位置に限定されるものではない。
本実施形態においては、第一カバー１６及び第二カバー１８は、矩形形状であり、かつ、トレイ１１とほぼ同じ長さまたは幅である同一の部品であることが好ましい。ただし、第一カバー１６及び第二カバー１８の幅または長さはトレイ１１よりも短く、そのため、第一カバー１６及び第二カバー１８はトレイ１１の全長または全幅にわたって延びているが、少なくとも溝１３の領域においては、トレイ１１を部分的に覆っているにすぎない。
第一カバー１６及び第二カバー１８は、例えば、スナップ、磁石、結合パッドまたはネジなどの適切な手段を介して、トレイ１１に対して取り外し可能に、または、固定して取り付けることが可能である。
トレイ１１上における第一カバー１６及び第二カバー１８の位置は、トレイ１１に予め形成された切欠きや凹部などにより、決めることが可能である。
さらに、第一カバー１６及び第二カバー１８は透明、半透明または不透明に形成することができ、さらに、トレイ１１と同一の材質またはトレイ１１とは異なる材質とすることも可能である。
上記の第一カバー１６及び第二カバー１８の構造及び特徴は上述の一例に限定されるものではない。
【００２０】
図３は、本実施形態に係る医療装置用使い捨てキットの第二組立体または第二構成要素群２０の平面図である。
具体的には、第一の側すなわち前側から見た図である。
図４は、第二組立体２０を第一の側とは反対側である第二の側、すなわち、後ろ側から見た場合（第二組立体２０の向きを逆にした場合）の平面図である。
以後、第二組立体２０を使い捨てキットのキットまたはキット部分と呼ぶ。
換言すれば、図３及び図４はキットの全体図である。
具体的には、本実施形態の第二組立体２０は３個の部分（またはセクションもしくはウィング）からなる。ほぼ長方形形状の第一セクションまたは左セクション２１と、第二セクションまたは中央セクション２２と、第三セクションまたは右セクション２３と、である。
左セクション２１及び右セクション２２はそれぞれヒンジ２４ａ，２４ｂを介して中央セクション２２に取り付けられており、中央セクション２２に対して所定の角度範囲において回動可能である。
換言すれば、この第二組立体２０の複合構造は、第一ウィング（左セクションまたは第一セクション２１）及び第二ウィング（右セクションまたは第三セクション２３）がそれぞれヒンジ２４ａ，２４ｂを介して可動的に、あるいは、折り畳み可能に取り付けられている中央部分（中央セクションまたは第二セクション２２）を備えている。
前記所定の角度範囲は、左セクション２１及び右セクション２３の各々が中央セクション２２上に折り畳まれ、最大ヒンジ角度位置で中央セクション２２に接触可能であるように、増大させることができる。
【００２１】
本実施形態においては、最大ヒンジ角度位置において左セクション２１及び右セクション２３が中央セクション２２の全体を覆うことができるように、中央セクション２２の面積は左セクション２１及び右セクション２３の面積よりも小さく設定することが可能である。
左セクション２１及び右セクション２３の双方は中央セクション２２に対して同じ方向に回動可能であるように構成することができる。
その場合には、左セクション２１及び右セクション２３の何れか一方のみが最大ヒンジ角度位置において中央セクション２２を覆い、左セクション２１及び右セクション２３の他方は中央セクション２２を覆っている前記一方のセクションを覆うことになる。
なお、左セクション２１は中央セクション２２に対して一方向に回動可能であるように構成し、右セクション２３は中央セクション２２に対して一方向とは反対の方向に回動可能であるように構成することもできる。
この場合、左セクション２１及び右セクション２３の双方が最大ヒンジ角度位置において中央セクション２２を覆うことが可能である。
【００２２】
左セクション２１、中央セクション２２及び右セクション２３が相互に取り付けられている状態においては、これら３個のセクションからなる組立体２０は、チューブ２５ａ−２５ｅ及び／またはフィルター２６などの所定の数の各部品を搭載することができる（チューブ２５ａ−２５ｅは好ましくは左セクション２１及び右セクション２３上に、フィルター２６は好ましくは中央セクション２２上に搭載される）。
本実施形態においては、二つのチューブ２５ａ及び２５ｂが例示されており、これらのチューブ２５ａ及び２５ｂは異なる直径を有し、それらの入り口及び出口において左セクション２１に搭載されている。また、１個のフィルター２６が例示されており、このフィルター２６は中央セクション２２に搭載されている。さらに、同一の直径を有する３個のチューブ２５ｃ−２５ｅが例示されており、これらのチューブ２５ｃ−２５ｅは右セクション２３に搭載されている。
各部品の実際の数はこれらの例示的な数に限定されるものではない。
フィルター２６は特定の種類のフィルターには限定されない。フィルター２６としては、少なくとも１個の液体入り口と少なくとも１個の液体出口とを有しており、使用時に使い捨てキットを介して液体が流れるようになっているフィルターを選択することができる。
【００２３】
チューブ２５ｃ−２５ｅの長さ、形状、直径及び／または厚さは図示したものに限定されず、実際の使い捨てキットの目的及び動作に適した長さ、形状、直径及び／または厚さに設定することができる。
チューブ２５ｃ−２５ｅは開放端を有するものとして構成することが可能であり、この開放端は、使い捨てキットの使用及び／または動作の設定に際して、既知のコネクタ、シール、ホルダー、クランプなどを用いて、さらに他のチューブに結合させることができ、これにより、使い捨てキットを流れる液体に対する液体通路が構成される。
図３及び図４は、さらに、左セクション２１、中央セクション２２及び右セクション２３に形成され、かつ、それらのセクションに貢献するように配置された多数の構造体を示している。例えば、凹部、凸部や貫通孔であり、これらは作動のための設定時においてチューブに対するガイドとして機能したり、トレイ１１の形状に寄与し、及び／またはトレイ１１の下方または近傍を通るチューブに圧力が作用することを防止するスペーサーとして機能したり、あるいは、左セクション２１、中央セクション２２及び右セクション２３の剛性を高めるモールドとして機能したりする。
【００２４】
キット及び／またはトレイ構造体の第二部品としての左セクション２１、中央セクション２２及び右セクション２３の外観は、その形状が後述する使い捨てキットのトレイ１１と相互に作動可能なものである限りにおいて、基本形である矩形以外の形状とすることも可能である。
また、左セクション２１、中央セクション２２及び右セクション２３は透明、半透明または不透明の材質であってもよく、この材質はトレイ１１または第一カバー１６及び第二カバー１８の材質と同一の、または、異なる材質とすることができる。
第二組立体２０／使い捨てキットが取りうる構造についての詳細な説明は米国公開公報２０１０／００９４１９２Ａに記載されており、同公報の記載は本明細書にも記載されているものとする。
パッケージング及び搬送の準備をする際には、第一組立体１０（すなわち、トレイ１１）と第二組立体２０（すなわち、第一乃至第三または左、中央及び右セクションもしくはウィング２１−２３からなるキット）とは、別体のまま、所定の方法で相互に整列される。
【００２５】
図５は、分離された状態にあり、かつ，搭載位置において相互に整列されている第一組立体１０及び第二組立体２０の上面図であり、図６は、搭載位置において、一方が他方の上に乗り、及び／または、相互に取り付けられた状態の第一組立体１０及び第二組立体２０の斜視図である。
図５及び図６に示すように、トレイ１１は、トレイ１１の凹部１４の位置が左セクション２１のチューブ２５ａ及び２５ｂの位置または右セクション２３のチューブ２５ｃ−２５ｅの位置に対応するように、第二組立体２０の上に位置決めされる。
本実施形態においては、トレイ１１は、長手方向において、一つのセクション２１または２３の長さと第二組立体２０の一方のヒンジ２４ａまたは２４ｂの長さとの和よりも短くなるように設定されている。
すなわち、トレイ１１の凹部１４の位置が左セクション２１または右セクション２３のチューブ２５ａ−２５ｅの位置と重なったとき、トレイ１１の他方の端部は中央セクション２２内に位置しており、トレイ１１の他方の端部に近いほうのヒンジ２４ａまたは２４ｂ及び左または右セクション２１、２３はトレイ１１に関して動かないようになる。
【００２６】
再度図１及び図２を参照すると、トレイ１１はほぼ平坦な板状として形成することが好ましく、この板の一方の面には凸部１２が、他方の面には凹部１４が形成される。
一方の面上の凸部１２は他方の面において凹部１４を形成しており、さらに、凸部１２は、チューブ２５ａ−２５ｅのレイアウトに対応する溝１３が凸部１２間に形成されるように構成されている。これにより、チューブ２５ａ−２５ｅは、使い捨てキットの組み立てまたは搭載状態において、溝１３の内部に収容可能になっている。
上述のように構成されているトレイ１１はどちらの側からでも第二組立体２０に取り付けることができる。
例えば、図５及び図６に示すように、トレイ１１が右セクション２３のチューブ２５ｃ−２５ｅと整列すると、トレイ１１の凸部／凹部１４及び溝１３とチューブ２５ｃ−２５ｅとが相互に向かい合い、チューブ２５ａ及び２５ｂに対応する凸部／凹部１４及び溝１３は第二組立体２０に対してトレイ１１の反対側に位置する。
この配置及び向きにおいては、トレイ１１は第一ヒンジ２４ａに向って長手方向に延びており、第一ヒンジ２４ａの手前で終端している。すなわち、トレイ１１は第一ヒンジ２４ａを越えて延びていることはない。
【００２７】
あるいは、トレイ１１が左セクション２１のチューブ２５ａ及び２５ｂと整列した場合には、トレイ１１の向かい合う側の凸部／凹部１４及び溝１３はチューブ２５ａ及び２５ｂと向かい合い、チューブ２５ｃ−２５ｅに対応する凸部／凹部１４及び溝１３は第二組立体２０に対してトレイ１１の反対側に位置する。
この配置及び向きにおいては、トレイ１１は第二ヒンジ２４ｂに向って長手方向に延びており、第二ヒンジ２４ｂの手前で終端している。すなわち、トレイ１１は第二ヒンジ２４ｂを越えて延びていることはない。
図７は、搭載位置において、一方が他方の上に位置しており、及び/または、相互に結合されている第一組立体１０及び第二組立体２０の上面図であり、図８は、搭載位置において、一方が他方の上に位置しており、及び/または、相互に結合されている第一組立体１０及び第二組立体２０の平面図である。
図７及び図８は基本的には図５及び図６と同じである。相違点は、図７及び図８においては、トレイ１１が下方に降下し、第二組立体２０上に配置されている点である。この状態では、図８に示すように、トレイ１１の溝１３と対向して整列していたチューブ２５ｃ−２５ｅは溝１３の内部に既に収容されている。
トレイ１１は第一ヒンジ２４ａの手前で終端しているため、左セクション２１は第一ヒンジ２４ａの回りに支障なく回動可能である。
本実施形態においては、トレイ１１及び第二組立体２０は、例えば、スナップ式ファスナーまたはクランプ（図示せず）を介して相互に取り外し可能に連結されている。
ただし、準備及び／またはパッケージングのためだけであれば、トレイ１１及び第二組立体２０をファスナーなどの手段を用いて物理的に結合させることは必要ではなく、単に、双方を接近させておくだけで十分である。
【００２８】
図９は、第一組立体１０の端部に第一カバー１６が取り付けられている状態における第一組立体１０及び第二組立体２０の斜視図であり、チューブ２５ｃ−２５ｅがトレイ１１の凸部１２により形成された溝１３の内部に収容されている。
図９に示すように、第一カバー１６の搭載位置とは、トレイ１１の凸部１２により形成された溝１３の内部に収容されているチューブ２５ｃ−２５ｅを第一カバー１６が覆う位置である。
図１０は第一組立体１０及び第二組立体２０の上面図である。
ヒンジで取り付けられたセクション、すなわち、第二組立体２０の左セクション２１が第一組立体１０（トレイ１１）の端部に向って折り曲げられ、さらに、左セクション２１は第一ヒンジ２４ａの回りにトレイ１１の反対側の面に向って折り曲げられる。
これにより、左セクション２１はトレイ１１の他方の端部すなわち第二端部の回りに回動することになり、チューブ２５ａ及び２５ｂはトレイ１１の反対側の面に近づくことになる。
最終的には、第二組立体２０の左セクション２１は第一組立体１０（トレイ１１）の他方の端部の回りに回動する、あるいは、折り曲げられる。
【００２９】
図１０に示すように、左セクション２１の最終位置においては、左セクション２１はトレイ１１を少なくとも部分的に取り囲んでおり、左セクション２１の裏側の突出部分２９はトレイ１１の収容構造体または突出部１９の中に収容される。収容構造体または突出部１９は、例えば、チューブ形状またはＵ型に形成することができ、この収容構造体により、左セクション２１はトレイ１１の裏側に安定的に物理的に支持されることとなり、チューブ２５ａ及び２５ｂは凸部１２により形成された、トレイ１１の裏側の溝１３の中に収容される。
突出部分２９による支持によって、使い捨て用品などの各要素は左セクション２１とトレイ１１との間に形成された空間または凹部に配置されることになり、チューブ２５ａ及び２５ｂは圧力を受けることから回避され、これにより、チューブ２５ａ及び２５ｂに圧力マークが付くことが防止される。
図１１は、第二カバー１８がトレイ１１の中央セクション２３に取り付けられている状態における第一組立体１０及び第二組立体２０の斜視図である。
図１１に示されるように、チューブ２５ａ及び２５ｂはトレイ１１の凸部１２により形成された溝１３の内部に収容されており、硬質の左セクション２１はチューブ２５ａ及び２５ｂの開放端及びコネクタの防護カバーとして機能している。
【００３０】
さらに、図１１に示されるように、最終的なパッケージング状態においては、第一組立体１０及び第二組立体２０を備える使い捨てキットのサイズは基本的にはトレイ１１の長さ及び幅によって決まり、第二組立体２０はトレイ１１の一端の回りに折り畳まれた状態になる。
第二組立体２０に取り付けられているチューブ２５ａ−２５ｅはトレイ１１の凸部１２により形成されている溝１３の内部に収容されている。
溝１３のレイアウトはチューブ２５ａ−２５ｅの形状に合わせて決定されているので、溝１３の形状はチューブ２５ａ−２５ｅの形状に合致している。
第二組立体２０の硬質シェル状のウィングすなわち各セクション２１−２３はトレイ１１に対してスペーサーにより支持されているため、それらの間に形成されている空間内に搭載されている、あるいは、緩く詰められている各要素は当該要素に作用する圧力から安全に防護されている。
トレイ１１に固定されているカバー１６及び１８は、チューブ２５ａ−２５ｅが溝１３から出ることを防止するとともに、チューブ２５ａ−２５ｅの損傷を防止している。
カバー１６及び１８を透明にすることにより、チューブ２５ａ−２５ｅがパッケージされた状態にあるかどうかを目で監視及び確認することが可能になる。
上述のように構成されている使い捨てキットはそれ全体をバッグの中に入れておくことができる。使い捨てキットはプラスチックで、及び／または、無菌につくってもよく、いかなる要素も残さずにバッグから取り出してもよく、あるいは、第二のパッケージを用いて搬送用により大きなサイズに変換することも可能である。
梱包から取り出し、目的の医療用装置に取り付けることは、第二のパッケージを開け、使い捨てキットをバッグから取り出し、さらに、以後の設定のために使い捨てキットを展開することによって、容易かつ短時間に行うことができる。
スナップ式ファスナーを用いることにより、工具を使うことなく、使い捨てキットの取り扱い及び取り付けを行うことができる。
【００３１】
上述のように、医療装置用使い捨てキットは、トレイ１１と、相互に折り畳んで結合されている複数のセクション２１−２３を備える組立体２０と、から構成されている。
複数のセクション２１−２３の少なくとも一つは、組立体２０がトレイ１１の一部を包み込むように、トレイ１１上に折り畳むことが可能である。
トレイ１１が所定の位置において組立体２０上に重なると、トレイ１１の前側に形成され、かつ、組立体２０と対向している溝領域が組立体２０の要素を収容し、複数のセクション２１−２３の一つはトレイ１１の反対側にヒンジで取り付けられるとともに、トレイ１１上に折り畳まれるので、そのセクション上の要素はトレイ１１の反対側に形成されている溝領域の内部に収容される。
このように、組立体２０は、硬質シェルを構成し、トレイ１１を少なくとも部分的に取り囲むとともに、圧力に敏感な使い捨てキットの要素、部分または領域を防護する。
【産業上の利用可能性】
【００３２】
使い捨てキットの特性、例えば、重量、長さ、幅、厚さ、色、形状及び細かな詳細は全て示されてはいないが、当業者には理解可能であるように、それらは本明細書において述べた本発明の範囲内にあるものである。
さらに、図面及び本明細書に示した構造及び部品の配置や構成などは本発明の例示にすぎないものであり、本発明はその例示に限定されるものではない。
従って、容易に理解されるように、本発明は上述の好適な実施形態及びその変形例に限定されるものではなく、当業者に予測できる範囲において、実施形態、変形例及び均等物の少なくとも一部の組み合わせは特許請求の範囲により定まる範囲に属する。
【符号の説明】
【００３３】
１０  第一組立体
１１  トレイ
１２  凸部
１３  溝
１４  凹部
２０  第二組立体
２１  左セクション
２２  中央セクション２２
２３  右セクション
２５ａ−２５ｅ  チューブ
【図１】
2017205491.tif 000003
【図２】
2017205491.tif 000004
【図３】
2017205491.tif 000005
【図４】
2017205491.tif 000006
【図５】
2017205491.tif 000007
【図６】
2017205491.tif 000008
【図７】
2017205491.tif 000009
【図８】
2017205491.tif 000010
【図９】
2017205491.tif 000011
【図１０】
2017205491.tif 000012
【図１１】
2017205491.tif 000013
【外国語明細書】
2017205491000001.pdf